(57)【要約】【課題】ロック部材に外力が加わった場合であっても、ロック部材がハウジングに対しがたついたり、ロック部材がハウジングから外れたりすることを抑制する。【解決手段】コネクタ１は、ハウジング１０に取り付けられて、該ハウジング１０の内側に端子２０を係止するロック部材５０を有している。ロック部材５０は、ハウジング１０の外側に配置される略板状の基部５１と、基部５１に設けられロック部材５０をハウジング１０に取り付ける第１取付部５２と、端子２０をハウジング１０の内側に保持するよう係止する係止部５３とを有している。基部５１には、第１取付部５２からハウジング１０の長手方向に延在している第１延長部５１１が形成されており、この第１延長部５１１には、ロック部材５０をハウジング１０に取り付ける第２取付部５４が形成されている。【選択図】  図７
2019040729.tif 000002
【特許請求の範囲】
【請求項１】
ハウジングと、
ケーブルの端部に接続され、前記ハウジングの長手方向に沿って形成された貫通孔に差し込まれ、相手側コネクタと接続される端子と、
前記ハウジングに取り付けられて、該ハウジングの内側に前記端子を係止するロック部材と、を有するコネクタであって、
前記ロック部材は、
前記ハウジングの外側に配置される略板状の基部と、
前記基部に設けられる、前記ロック部材を前記ハウジングに取り付ける第１取付部と、
前記端子を前記ハウジングの内側に保持するよう係止する係止部と、
を有しており、
前記基部には、前記第１取付部から前記長手方向に延在している延長部が形成されており、
前記延長部には、前記ロック部材を前記ハウジングに取り付ける第２取付部が形成されている
ことを特徴とするコネクタ。
【請求項２】
前記端子には、前記ロック部材の前記係止部に係止される被係止部が形成されており、
前記ハウジングは、前記端子の前記被係止部を収容する収容部を有し、
前記ロック部材の前記第１取付部は、前記ハウジングの前記収容部で該ハウジングと係合し、
前記ロック部材の前記係止部は、前記ハウジングの収容部で前記端子の被係止部と係合し、
前記ロック部材の前記第２取付部は、前記ハウジングの前記収容部から前記長手方向に離れた位置で該ハウジングと係合して、該ロック部材を該ハウジングに取り付ける
ことを特徴とする請求項１に記載のコネクタ。
【請求項３】
前記端子は、相手側コネクタの端子と接触する接触部と、前記ロック部材の前記係止部に係止される被係止部と、前記接触部と前記被係止部を接続する接続部が前記長手方向に一体的に形成されており、
前記ハウジングには、前記端子の前記接触部を収容し前記相手側コネクタと嵌合する嵌合部と、前記端子の前記被係止部を収容する収容部と、前記接続部を収容し前記嵌合部と前記収容部を中継する中継部と、を有し、
前記ロック部材の前記第１取付部は、前記ハウジングの前記収容部で該ハウジングと係合し、
前記ロック部材の前記係止部は、前記ハウジングの前記収容部で前記端子の前記被係止部と係合し、
前記ロック部材の前記第２取付部は、前記ハウジングの前記中継部で該ハウジングと係合して、該ロック部材を該ハウジングに取り付ける
ことを特徴とする請求項１に記載のコネクタ。
【請求項４】
前記ロック部材の前記基部の前記ハウジングと対向する面とは反対側の面には、前記長手方向に延在し、クリップ部材が差し込まれるガイドレールが形成されている
ことを特徴とする請求項１乃至３の何れかに記載のコネクタ。
【請求項５】
前記ロック部材の前記基部の前記延長部の端部であって、且つ前記ハウジングと対向する面とは反対側の面には、クリップ部材に係合する係合部が形成されており、
前記第２取付部は、前記係合部と同位置であって前記対向する面に形成されている
ことを特徴とする請求項１乃至３の何れかに記載のコネクタ。
【請求項６】
前記ロック部材の前記延長部には、斜め方向に傾斜している一対の側面を有するテーパ部が形成されており、
前記第２取付部は、前記テーパ部に形成されている
ことを特徴とする請求項１乃至５の何れかに記載のコネクタ。
【発明の詳細な説明】
【技術分野】
【０００１】
本開示は、端子をハウジングに係止するロック部材を有するコネクタに関する。
【背景技術】
【０００２】
下記特許文献１には、コネクタのハウジングに取り付けられ、ハウジングの内側で端子を係止するロック部材（下記特許文献１においては、リテーナ２）が開示されている。ロック部材には、ハウジングに取り付けられる取付部（下記特許文献１においては、左右の側板部分）が形成されている。また、ロック部材には、コネクタを車体パネルに取り付けるためのクリップ等に形成された板状の取付片（下記特許文献１においては、差込脚３２）が差し込まれるガイドレール（下記特許文献１においては、鈎形のガイドレール２０）が形成されることがある。
【先行技術文献】
【特許文献】
【０００３】
【特許文献１】特開平１０−００３９５９号公報
【発明の概要】
【発明が解決しようとする課題】
【０００４】
クリップ等に形成された取付片が大きい、あるいはロック部材に形成されるガイドレールの大きさや形状が規格によって予め定められている等の理由により、ガイドレールを小型化できない場合がある。ここで、ガイドレールが形成されている部分がハウジングに取り付けられる取付部に対して大きい場合、ガイドレールに取付片を取り付ける際に取付部にかかる力が大きくなり、ロック部材をハウジングに十分に固定できず、ロック部材全体ががたついたり、ロック部材がハウジングから外れてしまうことが懸念される。
【０００５】
本開示の目的の１つは、ロック部材に外力が加わった場合であっても、ロック部材がハウジングに対しがたついたり、ロック部材がハウジングから外れたりすることを抑制できるコネクタを提供することであり、例えばロック部材にクリップを取り付けるようなガイドレールが形成されているような場合であっても、ロック部材をハウジングに確実に固定できるコネクタを提供することにある。
【課題を解決するための手段】
【０００６】
（１）本開示で提案するコネクタの一実施形態は、ハウジングと、ケーブルの端部に接続され、前記ハウジングの長手方向に沿って形成された貫通孔に差し込まれ、相手側コネクタと接続される端子と、前記ハウジングに取り付けられて、該ハウジングの内側に前記端子を係止するロック部材と、を有している。ここで、前記ロック部材は、前記ハウジングの外側に配置される略板状の基部と、前記基部に設けられる、前記ロック部材を前記ハウジングに取り付ける第１取付部と、前記端子を前記ハウジングの内側に保持するよう係止する係止部と、を有している。前記基部には、前記第１取付部から前記長手方向に延在している延長部が形成されている。そして、前記延長部には、前記ロック部材を前記ハウジングに取り付ける第２取付部が形成されている。
【０００７】
（２）（１）に記載のコネクタにおいて、前記端子には、前記ロック部材の前記係止部に係止される被係止部が形成されていてもよい。ここで、前記ハウジングは、前記端子の前記被係止部を収容する収容部を有していてもよい。前記ロック部材の前記第１取付部は、前記ハウジングの前記収容部で該ハウジングと係合してもよい、そして、前記ロック部材の前記第２取付部は、前記ハウジングの前記収容部から前記長手方向に離れた位置で該ハウジングと係合して、該ロック部材を該ハウジングに取り付けてもよい。
【０００８】
（３）（１）に記載のコネクタにおいて、前記端子は、相手側コネクタの端子と接触する接触部と、前記ロック部材の前記係止部に係止される被係止部と、前記接触部と前記被係止部を接続する接続部が前記長手方向に一体的に形成されていてもよい。ここで、前記ハウジングには、前記端子の前記接触部を収容し前記相手側コネクタと嵌合する嵌合部と、前記端子の前記被係止部を収容する収容部と、前記接続部を収容し前記嵌合部と前記収容部を中継する中継部と、を有していてもよい。前記ロック部材の前記第１取付部は、前記ハウジングの前記収容部で該ハウジングと係合してもよい。前記ロック部材の前記係止部は、前記ハウジングの前記収容部で前記端子の前記被係止部と係合してもよい。そして、前記ロック部材の前記第２取付部は、前記ハウジングの前記中継部で該ハウジングと係合して、該ロック部材を該ハウジングに取り付けてもよい。
【０００９】
（４）（１）乃至（３）の何れかに記載のコネクタにおいて、前記ロック部材の前記基部の前記ハウジングと対向する面とは反対側の面には、前記長手方向に延在し、クリップ部材が差し込まれるガイドレールが形成されていてもよい。
【００１０】
（５）（１）乃至（３）の何れかに記載のコネクタにおいて、前記ロック部材の前記基部の前記延長部の端部であって、且つ前記ハウジングと対向する面とは反対側の面には、クリップ部材に係合する係合部が形成されていてもよい。ここで、前記第２取付部は、前記係合部と同位置であっての前記対向する面に形成されていてもよい。
【００１１】
（６）（１）乃至（５）の何れかに記載のコネクタにおいて、前記ロック部材の前記延長部には、斜め方向に傾斜している一対の側面を有するテーパ部が形成されていてもよい。ここで、前記第２取付部は、前記テーパ部に形成されていてもよい。
【図面の簡単な説明】
【００１２】
【図１】本開示で提案するコネクタの一例を示す斜視図である。
【図２】コネクタの前面図である。
【図３】コネクタの構成要素を示す分解斜視図である。
【図４】図２に示すＩＶ−ＩＶ線で得られる断面図である。
【図５】コネクタに取り付けられるロック部材を示す斜視図である。
【図６】ロック部材の前面図である。
【図７】端子とロック部材との位置関係を示す側面図である。
【図８】図２の拡大図である。
【発明を実施するための形態】
【００１３】
以下、本開示で提案するコネクタの実施形態について説明する。以下の説明において、各図のＹ１及びＹ２で示す方向をそれぞれ前方及び後方とする。また、各図のＺ１及びＺ２で示す方向を上方及び下方とする。また、各図のＸ１及びＸ２で示す方向を右方向及び左方向とする。ただし各種の方向は、あくまでもコネクタ１を構成する部位の相対的な位置関係を説明するためのものであり、絶対的な方向を示すものではない。
【００１４】
図１及び図３に示すように、コネクタ１は、ハウジング１０と、ケーブル７０の端部に取り付けられている端子２０とを有してよい。端子２０は、前後方向（即ち、ハウジング１０の長手方向）に沿って、ハウジング１０の内側に差し込まれることとしてもよい。図４に示すように、ケーブル７０は、いわゆる同軸ケーブルとしてよく、芯線７１と、絶縁体７２と、シールド線７３と、外皮７４とを有してよい。図３に示す例では、絶縁体７２、シールド線７３、及び外皮７４は管状であり、芯線７１は絶縁体７２の内側に配置されている。シールド線７３は絶縁体７２の外側を取り囲んでおり、外皮７４はシールド線７３の外側を覆っている。ただし、ケーブル７０の構成要素並びに各構成要素の配置位置は、必ずしもこれに限定されない。
【００１５】
端子２０は、金属などの導電材料により形成されてよく、全体として前後方向に沿って延在している略円柱状に形成されてもよい。図３及び図４に示す例では、端子２０は、その前端に図示しない相手コネクタの端子と接触する略円筒状の接触部２１を有している。接触部２１の内側には、ケーブル７０の芯線７１と接続している中心端子２５と、この中心端子２５を取り囲う筒状の誘電体２６が配置されている。また、接触部２１の後方には、この接触部２１と後述する被係止部２３とに接続している略円筒状の接続部２２が形成されている。接続部２２は、端子２０とシールド線７３とを電気的に接続するための部位であり、シールド線７３が外皮７４から露出している露出部７３ａの外側を覆い、シールド線７３に接触している。接続部２２は、接触部２１の外径よりも大きな外径を有している。
【００１６】
また、図３及び図４に示す例では、端子２０は、後述するハウジング１０の係止部１５ａと、後述するロック部材５０の係止部５３とによりハウジング１０の内側に係止される被係止部２３を有している。被係止部２３は、筒状に形成されてケーブル７０の外側を囲んでおり、接続部２２よりも後方に位置している。接触部２１、接続部２２、及び被係止部２３は、前後方向に沿って一体的に形成されており、被係止部２３は端子２０における最後部に配置されている。また、被係止部２３の前縁の一部だけが、接続部２２の後縁に接続している。端子２０の上側では、被係止部２３の前縁が接続部２２の後縁と接続しており、端子２０の下側では、被係止部２３は接続部２２に対して切り離されている。被係止部２３は略円筒状に形成されており、接続部２２の外径よりも大きな外径を有している。被係止部２３の後縁２３ａは、左右方向の長さよりも上下方向に長い楕円状に形成されてもよい。後述するように、被係止部２３は前後方向におけるハウジング１０内での端子２０の前後方向の位置決めに利用されてもよい。なお、端子２０は、シールド線７３を保持する筒状の支持部材２４を有してもよい。また、端子２０の素材、形状、構成要素、並びに各構成要素の配置位置は、必ずしもこれに限定されない。
【００１７】
ハウジング１０は、樹脂やプラスチック材等の絶縁材料により形成されてよい。図３及び図４に示す例では、ハウジング１０は前後方向に沿って延在している筒形状であり、前後方向にこれを貫通する貫通孔Ｈ１が形成されている。貫通孔Ｈ１は、ハウジング１０の後述する嵌合部１１、中継部１２、及び収容部１３を前後方向で貫通している。ここで、端子２０は、貫通孔Ｈ１の後側から挿入されることで、貫通孔Ｈ１の内側に収容されることとしてもよい。
【００１８】
図１及び図３に示す例では、ハウジング１０は、図示しない相手コネクタが嵌合する部分である嵌合部１１を有している。嵌合部１１は、ハウジング１０の最前部に位置してよく、前後方向に延在している略円筒状に形成されてもよい。端子２０の接触部２１は、この嵌合部１１の内側に収容されてよい。また、ハウジング１０は、端子２０及び後述するロック部材５０のうちの一部分を収容する収容部１３を有している。収容部１３は、略直方体の形状であって左右方向及び上下方向で後述する中継部１２よりも大きな形状を有してよく、ハウジング１０の最後部に配置されてよい。そして、収容部１３は、端子２０の被係止部２３と、後述するロック部材５０の第１取付部５２と係止部５３とを収容する。また、ハウジング１０は、嵌合部１１と収容部１３とを接続して、これらの間を中継する中継部１２を有している。中継部１２は、嵌合部１１と同様に、前後方向に延在している略円筒状に形成されてよく、その外径は、嵌合部１１の外径よりも大きく形成されていてもよい。ここで、コネクタ１と嵌合する相手コネクタは、その先端が嵌合部１１と中継部１２との間に形成される段差Ｄ１（図１を参照）の前面に当たることで、後方への移動を規制されることとしてもよい。
【００１９】
また、図３及び図４に示すように、ハウジング１０には、端子２０の後方への移動を規制する一次ロック部１５が形成されていてもよい。図４に示す例では、ハウジング１０の収容部１３に、片持ち梁状のバネ部１５ｂと、その後端に設けられた係止部１５ａからなる一次ロック部１５が形成されている。係止部１５ａが端子２０の後縁である被係止部２３の後縁上部２３ｂに当たることで、端子２０の後方への動きが規制される。バネ部１５ｂの前端である基部１５ｃは、収容部１３の前縁１３ｂに接続しており、バネ部１５ｂは基部１５ｃから後方に延在している。また、係止部１５ａの後側には、後方且つ上方の斜め方向に延在しているガイド面１５ｄが形成されている。端子２０をハウジング１０の後方から貫通孔Ｈ１に挿入する際、このガイド面１５ｄに端子２０の被係止部２３があたり、バネ部１５ｂが上方に弾性変形することで、端子２０をハウジング１０の内側へ挿入できるようになる。そして、端子２０が図４に示した位置に挿入されることで、バネ部１５ｂは弾性変形された状態から解除され、係止部１５ａは端子２０の後縁２３ａの上部２３ｂに対して後方に配置されることとなる。
【００２０】
また、図４に示すように、ハウジング１０の貫通孔Ｈ１の内側には、端子２０の前方への移動を規制するための段差Ｄ２が形成されてもよい。そして、この段差Ｄ２の後面と、端子２０の被係止部２３の前縁２３ｃが当たることで、端子２０の前方への移動が規制されることとしてもよい。また、貫通孔Ｈ１において、この段差Ｄ２の前方に、段差Ｄ３が形成されてもよい。段差Ｄ３は環状又は円弧状に形成されてよく、端子２０の接触部２１の周囲を覆い、接触部２１を支持することとしてもよい。このようにすることで、端子２０の先端が上下方向並びに左右方向へ動くことを規制することができる。なお、段差Ｄ２及び段差Ｄ３は、端子２０の周囲を囲う周方向の全周に亘って形成されてもよいし、当該周方向のうちの一部分の領域のみに形成されてもよい。
【００２１】
また、図３に示す例では、ハウジング１０の収容部１３は、上方に向いている平坦な上面１３ａを有している。ここで、この収容部１３の上面１３ａには、後述するロック部材５０の第１取付部５２と係止部５３がそれぞれ取り付けられる左右一対の取付穴Ｈ２と取付穴Ｈ３が形成されている。取付穴Ｈ２及び取付穴Ｈ３は、一次ロック部１５の左側と右側とに１つずつ形成されており、取付穴Ｈ３は、取付穴Ｈ２の後方に配置されている。ハウジング１０の内側では、取付穴Ｈ２及び取付穴Ｈ３は、貫通孔Ｈ１と接続している。また、ハウジング１０には、後述するロック部材５０の第２取付部５４が取り付けられる被取付部１６が形成されている。図１に示す例では、ハウジング１０には、左右一対の係合凸部１６Ｌ，１６Ｒで構成される被取付部１６が中継部１２の上側の最前部に形成されている。係合凸部１６Ｌ，１６Ｒは左右方向で互いに離れて位置し、後述する第２取付部５４が取り付けられる。被取付部１６の詳細については後述する。なお、中継部１２には、上方に向いている平坦な上面１２ａが形成されていてもよく、左右の係合凸部１６Ｌ，１６２Ｒは、上面１２ａから上方に突出していてもよい。
【００２２】
また、図３に示すように、コネクタ１は、ハウジング１０に取り付けられ、このハウジング１０の内側に端子２０を係止するロック部材５０を有してもよい。ロック部材５０は、上下方向でハウジング１０に取り付けられてもよい。図３に示す例では、ロック部材５０は、ハウジング１０の上側に取り付けられている。ロック部材５０は、ハウジング１０と同様に、樹脂やプラスチック材等の絶縁材料により形成されてよい。図３及び図４に示す例では、ロック部材５０は、前後方向に沿って略板状に延在している基部５１を有している。基部５１はハウジング１０の中継部１２と収容部１３とを覆っている。また、図５に示す例では、基部５１は、前側の下面５１ｂと、この前側の下面５１ｂよりも下方に位置する後側の下面５１ｃとを有している。ここで、後側の下面５１ｂは、ハウジング１０の一次ロック部１５を覆うこととしてもよい。このようにすることで、一次ロック部１５のバネ部１５ｂが上方へ弾性変形することを規制することができる。また、後側の下面５１ｃは、一次ロック部１５に対して左側及び右側の位置で、収容部１３の上面１３ａ（図３を参照）と接することとしてもよい。このようにすることで、左右方向に対してロック部材５０が傾くように動くことを抑えることができる。
【００２３】
前述したように、ロック部材５０の基部５１は、前後方向に沿って略板状に延在した形状となっている。図５及び図７に示す例では、基部５１は、ハウジング１０に取り付けられる後述する第１取付部５２から前方に延在している部分である第１延長部５１１と、この第１取付部５２から後方に延在している部分であるを第２延長部５１２とを有している。ここで、第１延長部５１１は、基部５１の最前部及び後述するテーパ部５７を含み、第２延長部５１２は、基部５１の最後部及び後述するガイドレール５５Ｌ，５５Ｒの後端を含むものとなる。テーパ部５７は、前方に向けて左右方向の幅が狭くなるよう斜め方向に傾斜している左右一対の側面５７ｂを有している。図３に示す例では、テーパ部５７の前面５７ｃの左右方向における幅は、ハウジング１０において後述する第２取付部５４が取り付けられる中継部１２の左右方向における幅よりも細くなっている。また、テーパ部５７の前面５７ｃは、前後方向において、ハウジング１０の嵌合部１１と中継部１２との間の段差Ｄ１よりも僅かに後方に配置されている。このようにすることで、コネクタ１の前方から回り込んだケーブル等の配線が、テーパ部５７の前面５７ｃに引っ掛かることを抑えることができる。
【００２４】
また、図３に示す例では、基部５１の上面５１ａ左右の縁部には、後述のクリップ部材９０が差し込まれる左右一対のガイドレール５５Ｌ，５５Ｒが形成されている。ガイドレール５５Ｌ，５５Ｒには、基部５１の上面５１ａとの間にクリップ部材９０が差し込まれる隙間Ｓがそれぞれ形成されている。一対のガイドレール５５Ｌ，５５Ｒは、左右方向で互いに離れて位置し、左右方向で互いに対称の形状を有している。ガイドレール５５Ｌ，５５Ｒは、前後方向に第２延長部５１２の後端から第１延長部の中間部に亘って形成されている。
【００２５】
また、図３及び図５に示す例では、基部５１の最前部である第１延長部５１１の最前部の上側には、クリップ部材９０と係合する係合部５８が形成されている。係合部５８は、ロック部材５０の左右方向における中央の位置に配置されており、テーパ部５７の上面から上方に突出する形状を有している。図４に示すように、係合部５８は、上方に向いている上面５８ａと、上面５８ａの後端に接続して上方且つ前方の斜め方向に延在している傾斜面５８ｂと、係合部５８の最前部に位置している前面５８ｃとを有していてもよい。クリップ部材９０がガイドレール５５Ｌ，５５Ｒに差し込まれる際、後述の突出板部９２が係合部５８の傾斜面５８ｂに沿って上面５８ａを乗り上げ、その後、係合部５８の前面５８ｃが引っ掛かることとしてもよい。
【００２６】
クリップ部材９０は、例えばコネクタ１を車体パネル等に取り付けるための部材であり、図３に示すように、板状の取付片９１を有してよい。取付片９１は矩形の板材としてよく、ガイドレール５５Ｌ，５５Ｒの双方により保持されることとしてよい。取付片９１は、基部５１の上面５１ａと、ガイドレール５５Ｌ，５５Ｒとの間の隙間Ｓを通る厚みで構成されてよく、ロック部材５０の後方からこの隙間Ｓに差し込まれることとしてよい。また、クリップ部材９０の先端には、ロック部材５０の係合部５８と係合する開孔が形成された舌状の突出板部９２が形成されてもよい。この突出板部９２の開孔と係合部５８とが係合することにより、ロック部材５０及びコネクタ１がクリップ部材９０から外れることを防止できる。図４に示す例では、係合部５８の前面５８ｃは、上方且つ前方の斜め方向に傾いている。これにより、突出板部９２が係合部５８から外れにくくすることができる。なお、クリップ部材９０は、車体パネル等に形成された孔や凹部等に嵌る、図示しない取付用の凸部を有していてもよい。ただし、クリップ部材９０の形状や機能、用途は、必ずしもこれに限定されない。即ち、ガイドレール５５Ｌ，５５Ｒに差し込まれる部材は、必ずしも上記のクリップ部材９０に限定されない。
【００２７】
また、図３に示す例では、ロック部材５０のガイドレール５５Ｌ，５５Ｒの前端には、クリップ部材９０を係止するための係止面５６が形成されている。係止面５６は、基部５１の上面５１ａから立ち上がり、テーパ部５７の上面５７ａおよび係合部５８の傾斜面５８ｂに接続している。ここで、ロック部材５０の後方からガイドレール５５Ｌ，５５Ｒに差し込まれたクリップ部材９０は、取付片９１の前端肩部９１ａが係止面５６にあたることで前方への移動が規制されてよい。これにより、ガイドレール５５Ｌ，５５Ｒからクリップ部材９０が外れることを抑制することができる。なお、テーパ部５７の上面５７ａは、ガイドレール５５Ｌ，５５Ｒの上面と同一の平面上に配置されている。
【００２８】
また、図５及び図７に示すように、ロック部材５０は、端子２０をハウジング１０の内側に保持するように係止する係止部５３を有してもよい。端子２０とロック部材５０がハウジング１０に取り付けられているとき、この端子２０の被係止部２３の後縁２３ａに対して係止部５３が後方に配置されることで、端子２０の後方への移動を規制することができる。また、図５及び図６に示す例では、係止部５３は、左右一対の係止凸部５３Ｌ，５３Ｒから構成されている。２つの係止凸部５３Ｌ，５３Ｒは、基部５１の後側である第２延長部５１２の下面５１ｃから下方に延在しており、ハウジング１０の左右方向で互いに離れて位置している。２つの係止凸部５３Ｌ，５３Ｒは、左右方向においてロック部材５０の中心を通る鉛直線Ｚに対して互いに対称の形状を有している。図３及び図７に示すように、２つの係止凸部５３Ｌ，５３Ｒは、ハウジング１０の収容部１３に形成されている２つの取付穴Ｈ３にそれぞれ差し込まれて、ハウジング１０の一次ロック部１５の左側と右側とにそれぞれ配置される。そして、２つの係止凸部５３Ｌ，５３Ｒが端子２０の被係止部２３の後方に配置されることで、係止凸部５３Ｌ，５３Ｒにより構成される係止部５３は、被係止部２３と係合する。なお、係止部５３は、端子２０の被係止部２３を係止できるものであればよく、係止部５３の形状や、係止凸部５３Ｌ，５３Ｒの数、形状、及び配置位置は、必ずしもこれに限定されない。
【００２９】
また、図５に示す例では、ロック部材５０は、ハウジング１０に取り付けられる第１取付部５２を有している。第１取付部５２は、基部５１の左右の側面５１ｄから上下方向に延在した左右一対の取付アーム５２Ｌ，５２Ｒで構成されている。取付アーム５２Ｌ，５２Ｒは、左右方向で互いに離れて位置している。このように、第１取付部５２を左右一対の取付アーム５２Ｌ，５２Ｒで構成とすることで、ハウジング１０に対する左右方向でのがたつきを抑えることができる。また、２つの取付アーム５２Ｌ，５２Ｒ間の距離は、２つの係止凸部５３Ｌ，５３Ｒの間の距離よりも広くなっており、２つの取付アーム５２Ｌ，５２Ｒは、互いに略同じ形状を有している。各取付アーム５２Ｌ，５２Ｒは、全体として前後方向の幅を有する矩形の平板形状であり、図７に示すように、その下端から上方に切り欠かれているスリット５２ａと、このスリット５２ａによって前側と後側とに分断されるうちの後側の椀部５２ｃの後方に突出する係合凸部５２ｂとを有している。
【００３０】
第１取付部５２は、ハウジング１０の収容部１３で、このハウジング１０と係合してもよい。第１取付部５２を構成している２つの取付アーム５２Ｌ，５２Ｒは、ハウジング１０に形成されている２つの取付穴Ｈ２（図３を参照）にそれぞれ差し込まれて、ハウジング１０の内側に配置されてよい。この際、各取付アーム５２Ｌ，５２Ｒの後側の腕部５２ｃに形成されている係合凸部５２ｂが、ハウジング１０の図示しない凸部に当たることとしてもよい。そして、上下方向に延在している後側の腕部５２ｃが前方に弾性変形することで、係合凸部５２ｂがハウジング１０の凸部を乗り上げることとしてもよい。そして、取付穴Ｈ２の内側へ第１取付部５２全体が収容されることで、後側の腕部５２ｃが弾性変形された状態から解除されて、係合凸部５２ｂがハウジング１０の凸部の下方に配置され、係合凸部５２ｂがハウジング１０の凸部に引っ掛かることとしてもよい。
【００３１】
また、図１及び図５に示す例では、ロック部材５０の基部５１のうち、第１延長部５１１には、ハウジング１０に取り付けられる第２取付部５４が形成されている。第２取付部５４は、第１延長部５１１の下側に形成されてよく、ハウジング１０の中継部１２の前端に形成されている被取付部１６に取り付けられることとしてよい。図５に示す例では、第２取付部５４は、第１取付部５２から前後方向に離れて位置している。即ち、第２取付部５４は、ハウジング１０の収容部１３から前後方向に離れた中継部１２においてこのハウジング１０と係合して、ロック部材５０をハウジング１０に取り付けている。また、第２取付部５４は、２つの取付アーム５２Ｌ，５２Ｒの間の中央位置Ｐから前方に離れて位置している。図６に示すように、ロック部材５０を前から見て、第２取付部５４は、左右方向におけるロック部材５０の中心を通る鉛直線Ｚの上に配置されている。先述したように、第１取付部５２を左右一対の取付アーム５２Ｌ，５２Ｒで構成し、これらの中央位置Ｐに対して第２取付部５４を前方に配置することで、ロック部材５０は、二等辺三角形を描く３点でハウジング１０に取り付けられることとなる。これにより、左右方向及び前後方向でのロック部材５０のがたつきを抑えることができ、ロック部材５０がハウジング１０から外れないように、ロック部材５０をハウジング１０に確実に固定することができる。
【００３２】
また、図５に示す例では、第２取付部５４は、第１延長部５１１の最前部に形成されている。このようにすることで、第１延長部５１１の最前部が左右並びに上下方向にがたつくことを抑えることができる。また、第２取付部５４は、テーパ部５７に形成されている。このようにすることで、ハウジング１０に対してテーパ部５７が動くことを確実に防止することができ、コネクタ１の前方から回り込んだケーブル等の配線が、テーパ部５７の前面５７ｃに引っ掛かることをより効果的に抑えることができる。
【００３３】
また、図５に示す例では、ロック部材５０の第２取付部５４は、基部５１の下側に形成されている。第２取付部５４は、上下方向において第１延長部５１１に対して係合部５８の反対側に配置されており、左右方向でテーパ部５７の前面５７ｃよりも細い幅を有している。第２取付部５４の下面５４ａは、基部５１の前側の下面５１ｂよりも下方に位置している。ここで、第２取付部５４の左側と右側とには、基部５１の前側の下面５１ｂから上方に凹んでいる凹部５１ｅが形成されていてもよい。
【００３４】
また、図５に示す例では、ロック部材５０には、第２取付部５４から後方に延在している梁部５９が形成されている。梁部５９は略角柱状であり、左右方向で第２取付部５４と略同一の幅を有している。このようにロック部材５０に梁部５９を形成することで、ロック部材５０の折れや割れに対する強度を向上させることができる。なお、梁部５９は、基部５１の前側の下面５１ｂから下方に突出しており、後側の下面５１ｃと接続している。そして、梁部５９の下面５９ａは、後側の下面５１ｃと同一平面上に配置されており、第２取付部５４の下面５４ａは、梁部５９の下面５９ａよりも下方に位置している。
【００３５】
次いで、第２取付部５４と被取付部１６との詳細形状の一例について説明する、図８に示すように、ロック部材５０の第２取付部５４は、左側と右側とにそれぞれ向いている左右一対の側面５４ｂ、下面５４ａ及びテーパ部５７の前面５７ｃの一部に囲まれた矩形状に形成されている。左右一対の側面５４ｂには、左右一対の凹部５４ｃが上下方向で同じ位置にそれぞれ形成されている。各凹部５４ｃは、各側面５４ｂから右方向又は左方向に窪み、且つ前後方向で延在している溝状に形成されている。そして、図１及び図８に示すように、被取付部１６を構成している左右一対の係合凸部１６Ｌ，１６Ｒは、ロック部材５０の凹部５４ｃに嵌る凸部１６ｂをそれぞれ有している。左右一対の凸部１６ｂは互いに対向する位置に形成され、互いに対向するよう左右方向で突出している。このように、左右一対の凹部５４ｃに左右一対の凸部１６ｂがそれぞれ嵌まり込むことで、被取付部１６を構成している左右一対の係合凸部１６Ｌ，１６Ｒの間に第２取付部５４を固定することができる。
【００３６】
第２取付部５４の下面５４ａの左右の縁には面取りされた傾斜面５４ｄが形成されている。また、被取付部１６を構成している係合凸部１６Ｌ，１６Ｒの上面１６ａの左右の縁には面取りされた傾斜面１６ｃが形成されている。このようにすることで、作業者が第２取付部５４をハウジング１０に取り付ける際、傾斜面５４ｄと傾斜面１６ｃとが互いに当接し、左右の係合凸部１６Ｌ，１６Ｒの間の位置に第２取付部５４をガイドすることができる。また、凹部５４ｃの下側の内面５４ｅは上方且つ外側方向の斜め方向に向いていてもよいし、凸部１６ｂの下面１６ｄは、下方且つ内側方向の斜め方向に向いていてもよい。これにより、被取付部１６を構成している２つの係合凸部１６Ｌ，１６Ｒの間の位置から第２取付部５４を上方に抜去し易くすることができる。
【００３７】
以上説明したように、本開示で提案するコネクタの実施形態では、ロック部材５０の基部５１には、第１取付部５２から前方に延在している第１延長部５１１が形成されている。そして、ハウジング１０に取り付けられる第２取付部５４は、この第１延長部５１１に形成されている。このようにすることで、ロック部材５０に形成されている第１取付部５２から前方に延在している第１延長部５１１を、ハウジング１０に確実に固定できるようになる。これにより、ロック部材５０に外力が加わった場合であっても、ロック部材５０全体ががたついたり、ロック部材５０がハウジング１０から外れたりすることを抑制することができる。
【００３８】
以上、本開示で提案するコネクタの実施形態について説明したが、本発明は実施形態に限られず、種々の変更がなされてよい。ハウジング１０並びにロック部材５０の素材、形状、構成要素、並びに各構成要素の配置位置は、必ずしも実施形態に限定されない。例えば、ロック部材５０において、ハウジング１０の取り付けられる第２取付部５４は、左右一対の第１取付部５２から後方に延在している第２延長部５１２に形成されてもよい。この場合、ハウジング１０において第２取付部５４が取り付けられる被取付部１６は、第１取付部５２が取り付けられる取付穴Ｈ２の後方に配置されればよい。このようにすることで、第１取付部５２から後方に延在している第２延長部５１２も、ハウジング１０に確実に固定できるようになる。例えば、第２取付部５４は、第２延長部５１２の最後部に形成されてもよい。
【００３９】
また、第２取付部５４は、第１延長部５１１と第２延長部５１２とのうちの一方に形成されてもよいし、双方に形成されてもよい。また、ロック部材５０は必ずしもガイドレール５５Ｌ，５５Ｒを有さなくてもよい。また、ロック部材５０の基部５１は、第１及び第２の延長部５１１，５１２のうちの一方を有さなくてもよい。第１取付部５２が基部５１の最後部に形成される場合、基部５１は第１延長部５１１のみを有することとなる。この場合、この第１延長部５１１に第２取付部５４が形成されればよい。また、第１取付部５２が基部５１の最前部に形成される場合、基部５１は第２延長部５１２のみを有することとなる。この場合、この第２延長部５１２に第２取付部５４が形成されればよい。
【００４０】
また、実施形態では、第１及び第２の取付部５２，５４は、前後方向に延在している略板状の基部５１に対して下方に延在しており、ハウジング１０の取付穴Ｈ２及び略溝形状の被取付部１６にそれぞれ取り付けられる構成としているが、第１及び第２の取付部５２，５４のうちの一方又は双方は、ハウジング１０に形成されてもよい。例えば、第１及び第２の取付部５２，５４のうちの一方又は双方は、ハウジング１０から突出させた腕状のフックとしてもよく、略板状の基部５１をその両側から挟み込むこととしてもよい。
【００４１】
また、実施形態では、ロック部材５０に形成される第２取付部５４は、基部５１の第１延長部５１１から下方に突出する形状であり、これがハウジング１０の被取付部１６を構成している左右一対の係合凸部１６Ｌ，１６Ｒの間に取り付けられていたが、第２取付部５４及び被取付部１６の形状は必ずしもこれに限定されない。これらの形状は、第２取付部５４をハウジング１０に取り付けられるものであればよい。例えば、第２取付部５４と被取付部１６とのうちの一方を孔形状又は凹形状としてもよく、他方をこの孔又は凹み嵌る凸形状としてもよい。他にも例えば、ロック部材５０の第２取付部５４はこのロック部材５０の中心を通る鉛直線Ｚ（図８を参照）に対して左右対称に形成される左右一対の係合を有してもよく、ハウジング１０に形成される被取付部は、これら２つの第２取付部５４の間に嵌ることとしてもよい。
【符号の説明】
【００４２】
１  コネクタ、１０  ハウジング、１１  嵌合部、１２  中継部、１２ａ  上面、１３  収容部、１３ａ  上面、１３ｂ  前縁、１５  一次ロック部、１５ａ  係止部、１５ｂ  バネ部、１５ｃ  基部、１５ｄ  ガイド面、１６  被取付部、１６Ｌ，１６Ｒ  係合凸部、１６ａ  上面、１６ｂ  凸部、１６ｃ  傾斜面、１６ｄ  下面、Ｈ１  貫通孔、Ｈ２，Ｈ３  取付穴、Ｄ１，Ｄ２，Ｄ３  段差、２０  端子、２１  接触部、２２  接続部、２３  被係止部、２３ａ  後縁、２３ｂ  後縁の上部、２３ｃ  前縁、２４  支持部材、２５  中心端子、２６  誘電体、５０  ロック部材、５１  基部、５１ａ  上面、５１ｂ  前側の下面、５１ｃ  後側の下面、５１ｄ  側面、５１ｅ  凹部、５１１  第１延長部、５１２  第２延長部、５２  第１取付部、５２Ｌ，５２Ｒ  取付アーム、５２ａ  スリット、５２ｂ  係合凸部、５２ｃ  後側の腕部、Ｐ  ２つの取付部の間の中央位置、５３  係止部、５３Ｌ，５３Ｒ  係止凸部、５４  第２取付部、５４ａ  下面、５４ｂ  側面、５４ｃ  凹部、５４ｄ  傾斜面、５４ｅ  凹部の下側の内面、５５Ｌ，５５Ｒ  ガイドレール、Ｓ  隙間、５６  係止面、５７  テーパ部、５７ａ  上面、５７ｂ  側面、５７ｃ  前面、５８  係合部、５８ａ  上面、５８ｂ  傾斜面、５８ｃ  前面、５９  梁部、５９ａ  下面、Ｚ  鉛直線、７０  ケーブル、７１  芯線、７２  絶縁体、７３  シールド線、７３ａ  露出部、７４  外皮、９０  クリップ部材、９１  取付片、９１ａ  前端肩部、９２  突出板部。
【図１】
2019040729.tif 000003
【図２】
2019040729.tif 000004
【図３】
2019040729.tif 000005
【図４】
2019040729.tif 000006
【図５】
2019040729.tif 000007
【図６】
2019040729.tif 000008
【図７】
2019040729.tif 000009
【図８】
2019040729.tif 000010